(57)【要約】【課題】画像を表示させる順序を変更して視認性の良い表示を可能とする表示制御装置およびそれを備えた撮像装置、画像表示システム、画像表示方法を提供する。【解決手段】入力部５０は、ユーザから撮影モードの指定を受け付ける。撮影画像抽出部１３は、画像記録部に記録されている撮影画像のうち、ユーザから指定された撮影モードに対応する撮影画像を抽出する。表示制御部１３は、撮影画像抽出部により抽出された撮影画像の縮小画像から優先的に表示部に表示させる。【選択図】図３
2009177226.tif 000002
【特許請求の範囲】
【請求項１】
撮影画像に撮影モードを示す情報を対応付けて記録した画像記録部及び前記撮影画像の縮小画像を表示可能な表示部に接続可能な表示制御装置であって、
ユーザから撮影モードの指定を受け付ける入力部と、
前記画像記録部に記録されている撮影画像のうち、ユーザから指定された撮影モードに対応する撮影画像を抽出する撮影画像抽出部と、
前記撮影画像抽出部により抽出された撮影画像の縮小画像から優先的に前記表示部に表示させる表示制御部とを備える、表示制御装置。
【請求項２】
前記画像記録部は、さらに撮影画像に撮影日時を示す情報を対応付けて記録し、
前記表示制御部は、前記撮影画像抽出部により複数の撮影画像が抽出された場合には、前記抽出された撮影画像の縮小画像を前記撮影日時を示す情報に基づく表示順序で前記表示部に表示させる、請求項１に記載の表示制御装置。
【請求項３】
前記入力部は、さらに前記撮影モードの優先度の設定入力を受け付け、
前記表示制御部は、前記撮影画像抽出部により抽出された撮影画像の縮小画像を、さらに優先度の高い撮影モードに対応する撮影画像の縮小画像から順に前記表示部に表示させる、請求項１に記載の表示制御装置。
【請求項４】
前記表示制御部は、前記画像記録部に記録されている撮影画像のうち、前記撮影画像抽出部により抽出された撮影画像の縮小画像のみを前記表示部に表示させる、請求項１に記載の表示制御装置。
【請求項５】
被写体の光学的な像を形成する撮像光学系と、
前記撮像光学系により形成された被写体の光学的な像を受光し、電気的な画像信号に変換して出力する撮像センサと、
前記出力された画像信号に基づく撮影画像に撮影モードを示す情報を対応付けて記録する画像記録部と、
前記画像記録部に記録された撮影画像に対応する縮小画像を表示可能な表示部と、
ユーザから撮影モードの指定を受け付ける入力部と、
前記画像記録部に記録されている撮影画像のうち、ユーザから指定された撮影モードに対応する撮影画像を抽出する画像抽出部と、
前記画像抽出部により抽出された撮影画像の縮小画像から優先的に前記表示部に表示させる表示制御部とを備える、撮像装置。
【請求項６】
前記画像記録部は、ユーザから指定された撮影モードで撮影された画像を格納する優先表示画像フォルダを含み、
前記表示制御部は、前記優先表示画像フォルダに格納された撮影画像の縮小画像から優先的に前記表示部に表示させる、請求項４に記載の撮像装置。
【請求項７】
前記入力部は、さらに前記撮影モードの優先度の設定入力を受け付け、
前記表示制御部は、前記撮影画像抽出部により抽出された撮影画像の縮小画像を、さらに優先度の高い撮影モードに対応する撮影画像の縮小画像から順に前記表示部に表示させる、請求項４に記載の撮像装置。
【請求項８】
前記画像記録部は、ユーザから指定された撮影モードで撮影された画像を前記設定入力された優先度別に分類して格納する優先表示画像フォルダをさらに含み、
前記表示制御部は、優先度の高い優先表示画像フォルダに格納された撮影画像の縮小画像から順に前記表示部に表示させる、請求項６に記載の撮像装置。
【請求項９】
撮像装置と前記撮像装置により撮影された撮影画像を表示可能な表示装置とを含む画像表示システムであって、
前記撮像装置は、
被写体の光学的な像を形成する撮像光学系と、
前記撮像光学系により形成された被写体の光学的な像を受光し、電気的な画像信号に変換して出力する撮像センサと、
前記出力された画像信号に基づく撮影画像に撮影モードを示す情報を対応付けて記録する画像記録部と、
ユーザから撮影モードの指定を受け付ける入力部と、
前記画像記録部に記録されている撮影画像のうち、ユーザから指定された撮影モードに対応する撮影画像を抽出する画像抽出部と、
前記画像抽出部により抽出された撮影画像の縮小画像から優先的に前記表示装置に表示させる表示制御信号を出力する表示制御信号出力部とを備え、
前記表示装置は、
前記画像記録部に記録された撮影画像と前記表示制御信号出力部により出力された表示制御信号を受信する受信部と、
前記受信部により受信された表示制御信号にしたがって、前記画像抽出部により抽出された撮影画像の縮小画像から優先的に表示する表示部とを備える、画像表示システム。
【発明の詳細な説明】
【技術分野】
【０００１】
本発明は、撮像装置により撮影された画像の表示方法に関し、より特定的には撮影モードを示す情報に基づいて撮影画像の表示を制御する表示制御装置およびそれを備えた撮像装置、画像表示システムに関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサにおける信号処理回路の集積度が向上し、かつ安価に提供できるようになったため、被写体の光学的な像を電気的な画像信号に変換して出力可能なデジタルスチルカメラやデジタルビデオカメラ（以下、単にデジタルカメラという）が急速に普及している。
【０００３】
また、撮影した画像を表示する際、撮影時のデジタルカメラの姿勢を判別し、縦方向で撮影された画像を撮影時の姿勢に復元して（すなわち、縦長画像として）表示する機能を備えたデジタルカメラも普及しつつある。図１３は、従来のデジタルカメラにおいて撮影画像の縮小画像（以下、サムネイル画像という）を一覧表示させた例である。図１３中、表示部５００には縦方向で撮影された画像は縦長画像として表示され、横方向で撮影された画像は横長画像として表示される。このように従来のデジタルカメラは、撮影画像を撮影時の姿勢に復元して表示することができるが、縦長画像と横長画像の縦横比は異なるために視認性に欠けるという問題があった。
【０００４】
これに対して、縦長と横長のサムネイル画像を表示する画像表示方法が提案されている（特許文献１）。特許文献１の画像表示方法は、複数の画像ファイルのデータを順次取り込み、取り込んだ画像の縦／横の画素数を比較し、横画素数が縦画素数よりも多い場合には当該画像を横長画像リストに登録し、一方縦画素数が横画素数より多い場合には当該画像を縦長画像リストに登録する。そして、横長画像リストと縦長画像リストとを合成してサムネイル画像を一覧表示するので、視認性のよい表示が可能であるとしている。
【特許文献１】特開平１１−３３１６９４号公報
【発明の開示】
【発明が解決しようとする課題】
【０００５】
特許文献１の画像表示方法は、縦長と横長のサムネイル画像を混在させることなく分けて表示する。しかしながら、特許文献１の画像表示方法は、縦長のサムネイル画像のみ、あるいは横長のサムネイル画像のみを連続して表示するので、撮影日時や撮影状況等に関して関連性のない画像が連続して表示される場合がある。特に日常の撮影では、同じ被写体を縦撮り姿勢や横撮り姿勢で連続的に撮影する場合も多く、このような場合には縦長画像と横長画像を分けて表示すると、関連性のない画像が連続して表示されるので視認性が悪いという問題があった。
【０００６】
そこで本発明の目的は、画像を表示させる順序を変更して視認性の良い表示を可能とする表示制御装置およびそれを備えた撮像装置、画像表示システムを提供することにある。
【課題を解決するための手段】
【０００７】
本発明は、以下の構成を備えた表示制御装置によって達成される。表示制御装置は、撮影画像に撮影モードを示す情報を対応付けて記録した画像記録部及び撮影画像の縮小画像を表示可能な表示部に接続可能な表示制御装置であって、ユーザから撮影モードの指定を受け付ける入力部と、画像記録部に記録されている撮影画像のうち、ユーザから指定された撮影モードに対応する撮影画像を抽出する撮影画像抽出部と、撮影画像抽出部により抽出された撮影画像の縮小画像から優先的に表示部に表示させる表示制御部とを備える。
【０００８】
本発明は、以下の構成を備えた撮像装置によって達成される。撮像装置は、被写体の光学的な像を形成する撮像光学系と、撮像光学系により形成された被写体の光学的な像を受光し、電気的な画像信号に変換して出力する撮像センサと、出力された画像信号に基づく撮影画像に撮影モードを示す情報を対応付けて記録する画像記録部と、画像記録部に記録された撮影画像に対応する縮小画像を表示可能な表示部と、ユーザから撮影モードの指定を受け付ける入力部と、画像記録部に記録されている撮影画像のうち、ユーザから指定された撮影モードに対応する撮影画像を抽出する画像抽出部と、画像抽出部により抽出された撮影画像の縮小画像から優先的に表示部に表示させる表示制御部とを備える。
【０００９】
本発明の目的は、以下の構成を備えた画像表示システムによって達成される。画像表示システムは、撮像装置と撮像装置により撮影された撮影画像を表示可能な表示装置とを含む画像表示システムであって、撮像装置は、被写体の光学的な像を形成する撮像光学系と、撮像光学系により形成された被写体の光学的な像を受光し、電気的な画像信号に変換して出力する撮像センサと、出力された画像信号に基づく撮影画像に撮影モードを示す情報を対応付けて記録する画像記録部と、ユーザから撮影モードの指定を受け付ける入力部と、画像記録部に記録されている撮影画像のうち、ユーザから指定された撮影モードに対応する撮影画像を抽出する画像抽出部と、画像抽出部により抽出された撮影画像の縮小画像から優先的に表示装置に表示させる表示制御信号を出力する表示制御信号出力部とを備え、
表示装置は、画像記録部に記録された撮影画像と表示制御信号出力部により出力された表示制御信号を受信する受信部と、受信部により受信された表示制御信号にしたがって、画像抽出部により抽出された撮影画像の縮小画像から優先的に表示する表示部とを備える。
【発明の効果】
【００１０】
本発明により、画像を表示させる順序を変更して視認性の良い表示を可能とする表示制御装置およびそれを備えた撮像装置、画像表示システムを提供することができる。
【発明を実施するための最良の形態】
【００１１】
（実施の形態１）
図１は、実施の形態１に係るデジタルカメラの制御システムを示すブロック図である。デジタルカメラ１は、撮像光学系Ｌと、マイクロコンピュータ３と、撮像センサ４と、ＣＣＤ駆動制御部５と、アナログ信号処理部６と、Ａ／Ｄ変換部７と、デジタル信号処理部８と、バッファメモリ９と、画像圧縮部１０と、画像記録制御部１１と、画像記録部１２と、画像表示制御部１３と、表示部５５と、シャッター制御部４１と、シャッター駆動モータ４２と、姿勢検出部４３と、操作入力部５０とを備えている。
【００１２】
撮像光学系Ｌは、３つのレンズ群Ｌ１、Ｌ２、Ｌ３を含む光学系である。第１レンズ群Ｌ１を光軸方向に移動させることによりフォーカシングが行われ、第３レンズ群Ｌ３を光軸方向に移動させることによりズーミングが行われる。第２レンズ群Ｌ２は、補正レンズ群であり、光軸に垂直な面内を移動させることにより光軸を偏心させて画像の動きを補正する。
【００１３】
マイクロコンピュータ３は、デジタルカメラ１全体を制御する。マイクロコンピュータ３は、操作入力部５０からの信号を受信可能である。操作入力部５０は、電源スイッチ３５、シャッター操作部３６、撮影／再生切換操作部３７、十字操作キー３８、ＭＥＮＵ設定操作部３９およびＳＥＴ操作部４０を含み、それぞれユーザの操作を受け付ける。
【００１４】
シャッター操作部３６は、撮影の際にユーザによって操作される、例えばレリーズボタンである。シャッター操作部３６が操作されると、タイミング信号がマイクロコンピュータ３に出力される。マイクロコンピュータ３は、タイミング信号を受信して制御信号をシャッター駆動モータ４２に出力する。シャッター駆動モータ４２は、受信した制御信号にしたがって、シャッターを動作させる。
【００１５】
姿勢検出部４３は、デジタルカメラ１の姿勢を検出し、撮影画像の天地方向を判別する。デジタルカメラ１の姿勢を検出する手段としては、デジタルカメラに加わる振動を検知して、撮像光学系Ｌの補正レンズを光軸と直交する２方向に駆動する像ブレ補正部を備えてもよい。またあるいは、デジタルカメラに角速度センサ等を取り付けてもよい。なお、これらの姿勢検出方法は一例であって、上記の例に限られるものでない。
【００１６】
撮像センサ４は、ＣＣＤであり、撮影光学系Ｌにより形成される光学的な像を電気的な信号に変換する。撮像センサ４は、ＣＣＤ駆動制御部５により駆動制御される。なお、撮像センサ４は、ＣＭＯＳでもよい。
【００１７】
撮像センサ４から出力された画像信号は、アナログ信号処理部６から、Ａ／Ｄ変換部７、デジタル信号処理部８、バッファメモリ９、画像圧縮部１０へと、順次送られて処理される。アナログ信号処理部６は、撮像センサ４から出力される画像信号にガンマ処理等のアナログ信号処理を施す。Ａ／Ｄ変換部７は、アナログ信号処理部６から出力されたアナログ信号をデジタル信号に変換する。デジタル信号処理部８は、Ａ／Ｄ変換部７によりデジタル信号に変換された画像信号に対してノイズ除去や輪郭強調等のデジタル信号処理を施す。バッファメモリ９は、ＲＡＭ（Ｒａｎｄｏｍ  Ａｃｃｅｓｓ  Ｍｅｍｏｒｙ）であり、デジタル信号処理部８により処理された画像信号を一旦記憶する。
【００１８】
さらに、バッファメモリ９に記憶された画像信号は、画像圧縮部１０から画像記録部１２へと、順次送られて処理される。バッファメモリ９に記憶された画像信号は、画像記録制御部１１の指令により読み出されて、画像圧縮部１０に送信される。画像圧縮部１０に送信された画像信号のデータは、所定の比率で圧縮されて、そのデータサイズが小さくなる。かかる圧縮方法として、例えばＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。また同時に、画像圧縮部１０はサムネイル表示等に用いられる撮影画像に対応する縮小画像信号についても生成する。その後、圧縮された画像信号および縮小画像信号は、画像記録部１２へ送信される。
【００１９】
画像記録部１２は、画像記録制御部１１の指令に基づいて、画像信号と縮小画像信号と撮影情報とを対応付けて記録する、例えば内部メモリおよび／又は着脱可能なリムーバブルメモリである。なお、画像信号とともに記録される撮影情報には、例えば撮影日時や、撮影モードを示す情報が含まれる。
【００２０】
本実施の形態のデジタルカメラ１には、複数の撮影モードが準備されており、ユーザは任意の撮影モードを選択可能である。例えば、撮影モードには撮影状況に応じて被写体を最適に撮影可能な「シーンモード」や、所望のシャッタースピードで被写体を撮影可能な「シャッタースピード優先モード」、被写体に近づいて接写が可能な「マクロモード」、手ブレ等による画像のブレを防止する「手ブレ補正モード」、連続して被写体を撮影可能な「連写モード」、音声とともに撮影画像を記録可能な「音声付きモード」、所定時間の経過後に撮影可能な「タイマー撮影モード」等がある。また例えば、光源に応じて適切な色調整が可能な「ホワイトバランス設定モード」や、所望の撮影感度に設定可能な「撮影感度設定モード」、撮影画像の記録サイズを設定可能な「記録サイズ設定モード」、画像信号の圧縮率の設定可能な「圧縮率設定モード」、撮影画像の色を変更可能な「カラーエフェクトモード」、撮影画像データに対してトリミングを行う「トリミングモード」等、各種撮影モードが含まれる。
【００２１】
また「シーンモード」には、さらに撮影シーンに応じて複数のモードが準備されている。例えばシーンモードには、背景を流してスピード感を表現できる「流し撮りモード」や人物を引き立てて撮影可能な「ポートレートモード」、ピントを遠くに合わせ画面全体をシャープに写すことのできる「風景モード」、スポーツなど動きの速いものを最適に撮影可能な「スポーツモード」、通常よりも遅いシャッタースピードで夜景を最適に撮影可能な「夜景モード」、背景の夜景と人物とを最適に撮影可能な「夜景ポートレートモード」、夜空に打ち上げられる花火を最適に撮影可能な「花火撮影モード」、薄暗い室内等でも最適に撮影可能な「パーティーモード」、雪を白く写すことのできる「雪撮影モード」、ユーザが自身のポートレートを撮影可能な「セルフポートレートモード」等が含まれる。なお、これらの撮影モードおよび撮影モードの名称は一例であり、これらに限られるものではない。また、デジタルカメラ１には撮影モードを設定するための操作部材が設けられてもよいし、表示部５５に表示された撮影モード設定画面から設定されてもよい。あるいは、被写体や撮影環境に応じて自動的に適切な撮影モードに設定されてもよい。
【００２２】
画像表示制御部１３は、画像記録部１２あるいはバッファメモリ９に記録された画像信号を可視画像として表示部５５に表示させる。ここで表示部５５の表示形態には、画像信号のみを可視画像として表示する表示形態と、画像信号と撮影情報とを可視画像として表示する表示形態とがある。
【００２３】
次に、実施の形態１に係るデジタルカメラ１の構成について、図２を用いて説明する。図２（ａ）はデジタルカメラ１の上面図、図２（ｂ）はデジタルカメラ１の背面図である。
【００２４】
筐体１ａは、前面にレンズ２を含む撮像光学系Ｌを備え、背面に電源スイッチ３５と、撮影／再生切換操作部３７と、十字操作キー３８と、ＭＥＮＵ設定操作部３９と、ＳＥＴ操作部４０と、液晶モニタからなる表示部５５とを含む。さらに、筐体１ａの上面は、シャッター操作部３６と、ズーム操作部５７とを備える。
【００２５】
ズーム操作部５７は、シャッター操作部３６と同軸に回動可能となるように、シャッター操作部３６の周囲に設けられている。電源スイッチ３５は、デジタルカメラ１の電源のＯＮ／ＯＦＦを行う操作部材である。撮影／再生切換操作部３７は、撮影モードと再生モードの切換えを行う操作部材であり、ユーザはレバーを回動させることにより切換えることができる。また撮影モードに切換えられた状態で、ズーム操作部５７を右方向へ回動させると、撮影光学系Ｌは望遠側へ切換えられる。一方、ズーム操作部５７を左方向へ回動させると撮影光学系Ｌは広角側へ切換えられる。
【００２６】
ＭＥＮＵ設定操作部３９は、表示部５５に各種メニューを表示させるための操作部材である。十字操作キー３８は、ＭＥＮＵ設定操作部３９の操作により表示部５５に表示された各種操作メニューから、ユーザが上下左右の部位を押下して選択するための操作部材である。ユーザが十字操作キー３８を操作して各種操作メニューを選択すると、マイクロコンピュータ３は選択されたメニューの実行指令を出力する。ＳＥＴ操作部４０は、各種操作メニューの表示を表示前の状態に戻すための操作部材である。
【００２７】
次に、デジタルカメラ１の動作について説明する。図３は、デジタルカメラ１の表示制御処理を示すフローチャートである。図３の処理は、例えばデジタルカメラ１の電源スイッチ３５がＯＮ側に操作されると開始する。まず、ステップＳ１０１の処理において、ユーザが撮影／再生切換操作部３７を再生モードに切り換えると、表示部５５には優先撮影モード設定メニュー画面６０が表示される。
【００２８】
ステップＳ１０２において、表示部５５に表示された優先撮影モード設定メニュー画面６０から、ユーザは一つの撮影モードを指定することができる。これにより、画像記録部１２に記録された撮影画像のうち、ユーザにより指定された撮影モードで撮影された画像の表示順序が他の画像よりも優先される。図４は、表示部５５に表示される優先撮影モード設定メニュー画面６０の一例である。図４中、優先撮影モード設定メニュー画面６０には、シーンモード選択アイコン６０ａとシャッタースピード選択アイコン６０ｂとマクロ選択アイコン６０ｃと手振れ補正選択アイコン６０ｄと連写選択アイコン６０ｅと記録画素数選択アイコン６０ｆとカラーエフェクト選択アイコン６０ｇと音声付き選択アイコン６０ｈが表示される。表示されたアイコンのうち、ユーザが一つのアイコンを選択し撮影モードを指定すると、処理はステップＳ１０３へ移行する。
【００２９】
ステップＳ１０３において、画像表示制御部１３は画像記録部１２に記録された撮影画像のうち、指定された撮影モードで撮影された画像を抽出する。なお上述のように、画像記録部１２には撮影画像と撮影モードを示す情報とが対応付けられて記録される。画像表示制御部１３により撮影画像が抽出されると、ステップＳ１０４において抽出した画像のサムネイル画像が表示部５５に表示される。本実施の形態において表示部５５には、例えば３行×３列の合計９枚のサムネイル画像が表示される。なお、画像表示制御部１３により抽出された画像が複数ある場合、表示順序は撮影日時の古いサムネイル画像が優先される。サムネイル画像が表示されると処理はステップＳ１０５に移行する。
【００３０】
なお、ステップＳ１０４では、画像表示制御部１３により抽出された画像のサムネイル画像の表示順序が他の画像よりも優先されたが、これに限られない。「優先的に表示させる」には、表示順序を優先させる場合だけでなく、例えば画像表示制御部１３により抽出された画像を他の画像よりも大きく表示させたり、抽出された画像のサムネイル画像枠の色を変化させてたり、さらにサムネイル画像を表示するだけでなく、例えば抽出した画像から順にスライド表示させる場合も含む。
【００３１】
ステップＳ１０５の処理では、画像表示制御部１３により抽出された画像でかつ、ステップＳ１０４において表示部５５に表示されていない画像が存在するか否か判定される。表示部５５に表示すべき画像が存在する場合には、処理は再びステップＳ１０３へ移行する。したがって、画像表示制御部１３により複数の撮影画像が抽出された場合には、撮影日時の古い画像から順に表示部５５に表示される。
【００３２】
一方、ステップＳ１０５において、表示すべき画像が存在しないと判定された場合にはステップＳ１０６の処理が行われる。すなわち、画像表示制御部１３は画像記録部１２に記録された撮影画像のサムネイル画像を撮影日時順に表示させる。画像記録部１２に記録された全ての画像が表示されると、一連の表示制御処理を終了する。
【００３３】
なお、ステップＳ１０６では、画像表示制御部１３により抽出されなかった画像のサムネイル画像が表示されたが、これに限られない。抽出されなかった画像のサムネイル画像を表示部５５に表示するか否かは任意としてもよい。例えば図３に示すフローチャートにおいて、ステップＳ１０４において抽出された画像が表示された後、ステップＳ１０５、Ｓ１０６の処理を省略して表示処理を終了してもよい。
【００３４】
ここで、音声付き撮影モードで撮影された画像を他の撮影画像よりも表示順序を優先させる場合について説明する。この場合、ユーザは優先撮影モード設定メニュー画面６０において音声付き選択アイコン６０ｈを選択すればよい。ユーザにより音声付き選択アイコン６０ｈが選択されると、画像表示制御部１３は画像記録部１２から音声付き撮影モードで撮影された画像を抽出し、抽出した撮影画像のサムネイル画像を表示部５５に表示する。音声付き撮影モードで撮影された画像が全て表示されると、画像表示制御部１３は、続いて音声付き撮影モードで撮影された画像以外の撮影画像のサムネイル画像を撮影日時順に表示する。図５は、サムネイル画像の表示例である。ここで画像記録部１２には音声付き撮影モードで撮影された画像が合計３枚記録されている。したがって、画像表示制御部１３は、抽出した画像を撮影日時の古い画像から順にフレーム番号１〜３に表示させる。そして、フレーム番号４〜９には画像表示制御部１３により抽出された画像以外の画像のサムネイル画像が撮影日時の古いものから順に表示される。なお、画像表示制御部１３は、サムネイル画像を表示する際、縦撮り姿勢で撮影された画像を縦長画像として表示し、横撮り姿勢で撮影された画像を横長画像として表示させる。このように、音声付き撮影モードで撮影された画像を他の撮影画像よりも表示順序を優先させることができる。
【００３５】
また例えば、記録画素数の大きな画像を他の撮影画像よりも表示順序を優先させる場合には、ユーザは優先撮影モード設定メニュー画面６０において記録画素数選択アイコン６０ｆを選択すればよい。記録画素数選択アイコン６０ｆが選択されると、画像表示制御部１３はソートメニュー画面６１を表示部５５に表示させる。図６は、ソートメニュー画面６１の一例であり、昇順選択アイコン６１ａと降順選択アイコン６１ｂとが表示される。ユーザが昇順選択アイコン６１ａを選択すると、表示部５５には画像記録部１２に記録された画像のうち、記録画素数の大きな撮影画像のサムネイル画像から優先的に表示部５５に表示される。一方、降順選択アイコン６１ｂが選択されると、表示部５５には記録画素数の小さな撮影画像のサムネイル画像から優先的に表示される。図７は、サムネイル画像の表示例である。ここで画像記録部１２には６００万画素で撮影された画像が３枚、３００万画素で撮影された画像が３枚、さらに２００万画素で撮影された画像が３枚記録されている。したがって、ソートメニュー画面６１において昇順選択アイコン６１ａが選択されると、画像表示制御部１３は６００万画素で撮影された画像をフレーム番号１〜３に表示し、３００万画素で撮影された画像をフレーム番号４〜６に表示し、さらに２００万画素で撮影された画像をフレーム番号７〜９に表示する。このように、ユーザは記録画素数選択アイコン６０ｆを選択することにより、記録画素数の大きな画像は他の撮影画像よりも表示順序が優先される。
【００３６】
以上のように、本実施の形態に係るデジタルカメラは、ユーザにより撮影モードが指定されると、指定された撮影モードで撮影された画像のサムネイル画像を他の撮影画像よりも表示順序を優先する。これにより、ユーザの好みの順序でサムネイル画像を表示させることができ、視認性のよい画像表示を実現することができる。
【００３７】
なお、本実施の形態において、優先撮影モード設定メニュー画面６０において指定することのできる撮影モードは一例であり、これに限られるものではない。
【００３８】
（実施の形態２）
次に、実施の形態２に係るデジタルカメラについて説明する。実施の形態２のデジタルカメラは、実施の形態１のデジタルカメラとほぼ同様の構成を備えるが、複数の撮影モードを指定してサムネイル画像の表示順序を設定できる点で異なる。以下、実施の形態１と異なる点を中心に説明する。なお、デジタルカメラ１と同様の構成要素については同じ参照符号を付して説明する。
【００３９】
図８は、本実施の形態に係るデジタルカメラの表示制御処理を示すフローチャートである。図８の処理は、例えばデジタルカメラの電源スイッチ３５がＯＮ側に操作されると開始する。まずステップＳ２０１において、ユーザが撮影／再生切換操作部３７を再生モードに切り換えると、表示部５５には優先度選択設定メニュー画面６２が表示される。
【００４０】
図９は、表示部５５に表示される優先度選択設定メニュー画面６２の一例である。実施の形態１と異なり、本実施の形態では複数の撮影モードを指定することができ、さらに指定された各撮影モードの優先度を設定することができる。すなわち、図９においてユーザが第１優先撮影モード選択アイコン６２ａを選択すると、表示順序を最も優先する画像の撮影モードを指定できる。また、ユーザが第２優先撮影モード選択アイコン６２ｂを選択すると、表示順序を２番目に優先する画像の撮影モードを指定することができ、さらにユーザが第３優先撮影モード選択アイコン６２ｃを選択すると、表示順序を３番目に優先する画像の撮影モードを指定できる。
【００４１】
第１〜第３優先撮影モード選択ボタンが選択されると、撮影モードを指定するための第１〜第３優先撮影モード設定メニュー画面が表示部５５に表示される。各優先撮影モード設定メニュー画面は実施の形態１で示した優先撮影モード設定メニュー画面６０と同様であるので、ここでは説明を省略する。各優先撮影モード設定メニュー画面において、それぞれ撮影モードが指定されると、処理はステップＳ２０３へ移行する。
【００４２】
ステップＳ２０３において、画像表示制御部１３は画像記録部１２に記録された撮影画像のうち、ステップＳ２０２の第１優先撮影モード設定メニュー画面で指定された撮影モードで撮影された画像を抽出する。そしてステップＳ２０４において画像表示制御部１３は、抽出した画像のサムネイル画像を表示部５５に表示させる。なお、抽出した画像が複数ある場合には、撮影日時の古い画像から順に表示される。
【００４３】
次にステップＳ２０５の処理では、画像表示制御部１３により抽出された画像でかつ、ステップＳ２０４において表示部５５に表示されていない画像が存在するか否かが判定される。表示すべき画像が存在する場合には、処理は再びステップＳ２０３へ移行し、抽出した画像のサムネイル画像が撮影日時の古い画像から順次表示される。一方、表示すべき画像が無い場合にはステップＳ２０６の処理へ移行する。
【００４４】
以下、ステップＳ２０６〜Ｓ２１０の処理についても同様に、第２、第３優先撮影モード設定メニュー画面６０で指定された撮影モードで撮影された画像が抽出され、サムネイル画像が順次表示部５５に表示される。第１〜第３優先撮影モードで指定された撮影モードで撮影された画像が全て表示されると、ステップＳ２１１において、画像記録部１２に記録された撮影画像のサムネイル画像が撮影日時順に表示される。以上により、一連の表示制御処理を終了する。
【００４５】
ここで表示させるサムネイル画像の順序を、風景モード（シーンモード）で撮影された画像、マクロ撮影モードで撮影された画像、さらにポートレートモード（シーンモード）で撮影された画像、それ以外の画像とする場合を例に説明する。
【００４６】
まず、ユーザは優先度選択設定メニュー画面６２において第１優先撮影モード選択アイコン６２ａを選択する。そして、表示部５５には第１優先撮影モード設定メニュー画面６０が表示されるので、ユーザはシーンモード選択アイコン６０ａを選択すればよい。シーンモード選択アイコン６０ａが選択されると、続いて表示部５５にはシーンモード選択メニュー画面６３が表示される。図９は、表示部５５に表示されるシーンモード選択メニュー画面６３の一例である。シーンモード選択メニュー画面６３には、ポートレートモード選択アイコン６３ａとスポーツモード選択アイコン６３ｂと風景モード選択アイコン６３ｃと夜景モード選択アイコン６３ｄと夜景ポートレート選択アイコン６３ｅと花火モード選択アイコン６３ｆとパーティモード選択アイコン６３ｇと雪モード選択アイコン６３ｈが表示され、ユーザはいずれかのアイコンを選択して撮影モードを指定できる。ここでは、風景モードで撮影された画像の表示順序を最も優先するので、ユーザは風景モード選択アイコン６３ｃを選択すればよい。風景モード選択アイコン６３ｃが選択されると、画像記録部１２から風景モードで撮影された画像が抽出され、表示部５５には風景モードで撮影された画像のサムネイル画像が表示される。
【００４７】
次に、マクロ撮影モードで撮影された画像を表示させるため、ユーザは優先度選択設定メニュー画面６２において第２優先撮影モード選択アイコン６２ｂを選択し、続いてマクロ撮影モード選択アイコン６０ｃを選択すればよい。これにより、風景モードで撮影された画像のサムネイル画像に続いてマクロ撮影モードで撮影された画像のサムネイル画像が表示される。
【００４８】
さらに、ポートレートモードで撮影された画像を表示させるため、ユーザは優先度選択設定メニュー画面６２において第３優先撮影モード選択アイコン６２ｃを選択し、続いてシーンモード選択アイコン６０ａを選択すればよい。さらにユーザは、シーンモード選択メニュー画面６３においてポートレートモード選択アイコン６０ａを選択すればよい。これにより、風景モード、マクロ撮影モードで撮影された画像のサムネイル画像に続いてポートレートモードで撮影された画像のサムネイル画像が表示される。
【００４９】
図１０（ａ）は、サムネイル画像の表示例である。ここで、画像記録部１２には風景モードで撮影された画像が４枚、マクロ撮影された画像が２枚、さらにポートレートモードで撮影された画像が３枚記録されている。したがって、フレーム番号１〜４には風景モードで撮影された画像のサムネイル画像が表示され、フレーム番号５、６にはマクロ撮影モードで撮影された画像のサムネイル画像が表示される。さらにフレーム番号７〜９にはポートレートモードで撮影された画像のサムネイル画像が表示される。一方、図１０（ｂ）は従来のデジタルカメラにおける表示例である。従来のデジタルカメラでは撮影日時順に画像が表示されるので、関連性の低い画像が連続して表示される。したがって、図１０（ａ）と図１０（ｂ）を比較すると明らかなように、本実施の形態のデジタルカメラは、指定された撮影モードで撮影された画像を他の撮影画像よりも表示順序を優先させるので、関連性のある画像を連続して表示することが可能であり、視認性を向上させることができる。
【００５０】
以上のように、本実施の形態に係るデジタルカメラは、複数の撮影モードを指定することができ、サムネイル画像の順序をさらに詳細に設定することができるので、ユーザの好みに応じた視認性のよい画像表示を実現することができる。
【００５１】
（実施の形態３）
次に、実施の形態３に係る画像表示システムについて説明する。図１１（ａ）は、実施の形態３に係る画像表示システムの概略構成図であり、図１１（ｂ）は画像表示システムのブロック図である。なお、ブロック図では一部の構成要素を省略して記載している。画像表示システムは、デジタルカメラ１と表示装置７０とケーブル７５とを備える。本実施の形態に含まれるデジタルカメラ１は、実施の形態１および２のデジタルカメラとほぼ同様の構成を備えるが、外部に接続された表示装置７０に撮影画像を表示可能な点で異なる。以下、実施の形態１および２と異なる点を中心に説明する。
【００５２】
表示装置７０は、ＣＲＴや液晶、プラズマ、有機ＥＬ等の各種ディスプレあるいはテレビモニタであり、ケーブル７５を介してデジタルカメラ１と接続される。ケーブル７５は、例えばＵＳＢ（Ｕｎｉｖｅｒｓａｌ  Ｓｅｒｉａｌ  Ｂｕｓ）ケーブルである。画像表示制御部１３は、ユーザが指定した撮影モードで撮影された画像を画像記録部１２から抽出し、抽出した撮影画像のサムネイル画像を表示させる制御信号を表示装置７０に出力する。表示装置７０は、制御信号を受信して、表示部にサムネイル画像を表示する。なお、表示制御処理は実施の形態１または２と同様であるので、ここでは説明を省略する。
【００５３】
以上のように、本実施の形態に係る画像表示システムは、ユーザにより指定された撮影モードに基づいてサムネイル画像の表示順序を変更することができる。特に、本実施の形態の画像表示システムは、表示部を備えていないデジタルカメラや、各サムネイル画像を大きく表示させたい場合に効果的である。
【００５４】
なお、本実施の形態において表示装置とデジタルカメラとを接続する例を示したが、これに限られない。例えば、撮影画像が記録されたパーソナルコンピュータとモニタとが接続された構成であっても同様の効果を得ることができる。
【００５５】
なお、本実施の形態において、ケーブル７５は一例としてＵＳＢケーブルを用いたが、これに限れない。例えば、ＩＥＥＥ１３９４シリアルバス用ケーブルや無線ＬＡＮ等により接続されてもよい。
【００５６】
（実施の形態４）
次に、実施の形態４に係る画像表示システムについて説明する。図１２（ａ）は、実施の形態４に係る画像表示システムの概略構成図であり、図１２（ｂ）は画像表示システムのブロック図である。なお、ブロック図では一部の構成要素を省略して記載している。画像表示システムは、デジタルカメラ１と、表示装置８０と、リムーバブルメモリ５１と、表示制御装置８２とを備える。デジタルカメラ１および表示装置８０は、実施の形態１〜３のデジタルカメラ１および表示装置７０とほぼ同様の構成を備えるが、撮影画像は撮影モードを示す情報とともにリムーバブルメモリ５１に記録可能な点で異なる。以下、実施の形態１〜３と異なる点を中心に説明する。
【００５７】
リムーバブルメモリ５１は、撮影画像と撮影モードを示す情報とが対応付けて記録される、例えばメモリーカードや光ディスク等である。表示制御装置８２は、撮影画像の表示を制御する、例えば画像処理ソフトを備えたパーソナルコンピュータやハードディスクレコーダ、ＤＶＤレコーダ等である。表示制御装置８２および表示装置８０は、リムーバブルメモリ５１を挿入可能なリムーバブルメモリ挿入部８１を備える。表示制御装置８２において、ユーザは表示装置８０におけるサムネイル画像の表示順序を設定するために所望の撮影モードを指定することができる。表示制御装置８２は、挿入されたリムーバブルメモリ５１に格納された撮影画像のうち、指定された撮影モードで撮影された画像を抽出し、抽出した画像のサムネイル画像から優先的に表示装置８０に表示する。表示制御処理については実施の形態１および２と同様であるので、ここでは説明を省略する。
【００５８】
以上のように、本実施の形態に係る画像表示システムにおいて、表示制御装置は撮影画像と撮影モードを示す情報とを記録したリムーバブルメモリから、これらを読み出し、ユーザにより指定された撮影モードで撮影された画像のサムネイル画像から優先的に表示装置に表示するので、視認性のよいサムネイル表示が可能である。
【００５９】
なお、本実施の形態においてリムーバブルメモリ５１には、ユーザが指定した撮影モードを示す情報が記録されてもよい。表示装置８０および表示制御装置８２は、挿入されたリムーバブルメモリ５１から、ユーザが指定した撮影モードを示す情報を読み出して、読み出した撮影モードで撮影された画像を抽出する。
【００６０】
また、本実施の形態においてリムーバブルメモリ５１には、画像の表示順序を示す優先表示情報が記録されてもよい。表示装置８０および表示制御装置８２は、優先表示情報にしたがって撮影画像のサムネイル画像を表示する。
【００６１】
なお、本実施の形態において、リムーバブルメモリ挿入部８１を備えた表示装置８０および表示制御装置８２を用いる例を示したが、これに限られない。例えば、リムーバブルメモリ５１の読み出しが可能なメモリーカードリーダ等の読み取り装置と、表示制御装置と、表示装置とが接続された構成としてもよい。
【００６２】
なお、実施の形態３または４において、撮影画像を外部の表示装置８０に表示したがこれに限られない。例えば、プリンタなどの印刷装置と接続してもよい。
【００６３】
なお、実施の形態１〜４において、画像表示制御部または表示制御装置はユーザにより撮影モードが指定されると、指定された撮影モードで撮影された画像を画像記録部から抽出したが、これに限れない。例えば画像記録部には、ユーザが指定した撮影モードで撮影された画像を格納する優先表示フォルダが設けられてもよい。画像表示制御部は、優先表示フォルダに格納された撮影画像のサムネイル画像を他の撮影画像よりも表示順序を優先する。また画像記録部には、優先度別に分類された複数のフォルダが設けられてもよく、例えば実施の形態２において、画像記録部には第１優先表示フォルダと第２優先表示フォルダと第３優先表示フォルダが設けられてもよい。これにより、画像表示制御部は、サムネイル表示する毎に画像を抽出する必要がないので、より早く画像を表示できる。
【００６４】
なお、実施の形態１〜４において、ユーザにより指定された撮影モードで撮影された画像が複数ある場合には、撮影日時の古い画像から順に表示されが、これに限られない。撮影日時の新しい画像から順に表示されてもよい。
【産業上の利用可能性】
【００６５】
本発明の撮像装置、表示制御装置ならびに表示装置は、撮影画像の表示方法に関し快適な表示が要望されている、デジタルスチルカメラ、デジタルビデオカメラ、カメラ機能付きの携帯電話端末およびＰＤＡ、さらにＤＶＤレコーダおよびハードディスクレコーダなどに好適である。
【図面の簡単な説明】
【００６６】
【図１】実施の形態１に係るデジタルカメラの制御システムを示すブロック図
【図２】実施の形態１に係るデジタルカメラの構成概略図であり、（ａ）はデジタルカメラの上面図、（ｂ）はデジタルカメラの背面図
【図３】実施の形態１に係るデジタルカメラの表示制御処理を示すフローチャート
【図４】実施の形態１において表示部に表示される優先撮影モード設定メニュー画面の一例を示す図
【図５】実施の形態１におけるサムネイル画像の表示例を示す図
【図６】実施の形態１において表示されるソートメニュー画面の一例を示す図
【図７】実施の形態１におけるサムネイル画像の表示例を示す図
【図８】実施の形態２に係るデジタルカメラの表示制御処理を示すフローチャート
【図９】実施の形態２において表示部に表示される優先度選択設定メニュー画面の一例を示す図
【図１０】実施の形態２におけるサムネイル画像の表示例であり、（ａ）は実施の形態２における表示例であり、（ｂ）は従来のデジタルカメラにおける表示例を示す図
【図１１】実施の形態３に係る画像表示システムを示し、（ａ）は概略構成図であり、（ｂ）はブロック図
【図１２】実施の形態４に係る画像表示システムを示し、（ａ）は概略構成図であり、（ｂ）はブロック図
【図１３】従来のデジタルカメラにおけるサムネイル画像の表示例を示す図
【符号の説明】
【００６７】
１    デジタルカメラ
１ａ    筐体
２    レンズ
３    マイクロコンピュータ
４    撮像センサ
５    ＣＣＤ駆動制御部
６    アナログ信号処理部
７    Ａ／Ｄ変換部
８    デジタル信号処理部
９    バッファメモリ
１０    画像圧縮部
１１    画像記録制御部
１２    画像記録部
１３    画像表示制御部
３５    電源スイッチ
３６    シャッター操作部
３７    撮影／再生切換操作部
３８    十字操作キー
３９    ＭＥＮＵ設定操作部
４０    ＳＥＴ操作部
４１    シャッター制御部
４２    シャッター駆動モータ
４３    姿勢検出部
５０    操作入力部
５１    リムーバブルメモリ
５５    表示部
５７    ズーム操作部
６０    優先撮影モード設定メニュー画面
６１    ソートメニュー画面
６２    優先度選択設定メニュー画面
６３    シーンモード選択メニュー画面
７０    表示装置
７５    ケーブル
８０    表示装置
８１    リムーバブルメモリ挿入部
８２    表示制御装置
Ｌ    撮像光学系
Ｌ１    第１レンズ群
Ｌ２    第２レンズ群
Ｌ３    第３レンズ群
【図１】
2009177226.tif 000003
【図２】
2009177226.tif 000004
【図３】
2009177226.tif 000005
【図４】
2009177226.tif 000006
【図５】
2009177226.tif 000007
【図６】
2009177226.tif 000008
【図７】
2009177226.tif 000009
【図８】
2009177226.tif 000010
【図９】
2009177226.tif 000011
【図１０】
2009177226.tif 000012
【図１１】
2009177226.tif 000013
【図１２】
2009177226.tif 000014
【図１３】
2009177226.tif 000015